(57)【要約】【課題】  その製造コストを低減しながら、化粧板の表面を完全に平滑化することが可能な作業台用天板を提供する。【解決手段】  支持枠１３を構成する枠部材１３ａの上面となる位置には、化粧板１１が配設される。この化粧板１１は、その裏面側から雌ネジ部を構成する穴が形成されている。また、枠部材１３ａの下面となる位置には、底板１２が配設される。化粧板１１は、第１のネジ３１により枠部材１３ａに固定される。このときには、第１のネジ３１における雄ネジ部は、化粧板１１の裏面側から枠部材１３ａに形成された孔部を貫通して、化粧板１１に形成された雌ネジ部に螺合する。そして、第１のネジ３１の先端は、化粧板１１の厚み方向の中央部に配置される。また、底板１２は、底板１２の表面側から、第２のネジ３２の先端を底板１２を貫通させて枠部材１３ａに到達させることにより枠部材１３ａに固定される。【選択図】        図４
2012020234.tif 000002
【特許請求の範囲】
【請求項１】
フレームの上部に載置され、当該フレームとともに作業台を構成する作業台用天板であって、
その裏面側から雌ネジ部を構成する穴が形成された化粧板と、
支持枠と、
前記支持枠に形成された孔部を貫通して前記化粧板における雌ネジと螺合する雄ネジ部を有し、前記化粧板を当該化粧板の裏面側から前記支持枠に固定する第１のネジと、
前記支持枠における前記化粧板とは逆側に配置された底板と、
前記底板の表面から当該底板を貫通することにより、前記底板を前記支持枠に固定する第２のネジと、
を備えたことを特徴とする作業台用天板。
【発明の詳細な説明】
【技術分野】
【０００１】
この発明は、フレームの上部に載置され、当該フレームとともに作業台を構成する作業台用天板に関する。
【背景技術】
【０００２】
例えば、作業台としての実験台は、傷が発生したり、汚れが付着したりすることを防止するため、その上面がメラミン樹脂等からなる化粧板から構成されている。この化粧板は、接着剤等により実験台の本体に貼着されている。
【０００３】
ところで、実験台は、種々の薬品が付着したり、実験器具と接触したりすることから、長期間使用した場合には、化粧板の表面に傷や汚れが生ずることになる。このような場合には、実験台そのものを交換するのではなく、化粧板だけを交換することが好ましい。しかしながら、従来の実験台においては、化粧板が実験台本体に貼着されていることから、化粧板だけを交換することが困難となっている。
【０００４】
また、このような従来の実験台においては、傷や汚れが生じて化粧板を交換した場合に、この化粧板に接着剤が付着していることから、この化粧板をリサイクル利用することが困難となるという問題も生ずる。
【０００５】
このため、特許文献１においては、接着剤を使用することなく、支持部材の表面に化粧板を着脱可能に配設した天板を有する実験台が開示されている。
【先行技術文献】
【特許文献】
【０００６】
【特許文献１】特許第４２７８９５１号公報
【発明の概要】
【発明が解決しようとする課題】
【０００７】
このような作業台としての実験台に使用する天板においては、実験を行う化粧板の表面は、ネジ等が配置されることなく、完全に平滑であることが要請される。このため、特許文献１に記載された天板においては、化粧板の裏面側に、支持部材の表面から頭部を離隔した状態で当該支持部材に立設されたネジ部材と係合する係合孔を形成している。この係合孔は、ネジ部材の頭部を出入り自在に受容できる受容孔と、この受容孔に連通したスライド用溝とから構成される。
【０００８】
そして、このスライド用溝の開口幅は、ネジ部材の頭部の最大径より小さく設定されている。また、スライド用溝の内奥幅は、ネジ部材の頭部の最大径と同等または略同等となるように構成されている。そして、支持部材に立設されたネジ部材の頭部を受容孔から係合孔内に進入させた後、ネジ部材の頭部がスライド溝内に進入する位置まで化粧板を横方向にスライドさせることにより、ネジ部材と係合孔とを利用して化粧板を固定する構成となっている。
【０００９】
この特許文献１に記載された天板は、化粧板の表面を完全に平滑化することは可能ではあるが、受容孔とスライド溝とから構成される係合孔を加工する工程が極めて煩雑なものとなり、その加工コストが極めて高くなる。このため、天板自体の製造コストが極めて高額となるという問題が生ずる。
【００１０】
この発明は上記課題を解決するためになされたものであり、その製造コストを低減しながら、化粧板の表面を完全に平滑化することが可能な作業台用天板を提供することを目的とする。
【課題を解決するための手段】
【００１１】
請求項１に記載の発明は、フレームの上部に載置され、当該フレームとともに作業台を構成する作業台用天板であって、その裏面側から雌ネジ部を構成する穴が形成された化粧板と、支持枠と、前記支持枠に形成された孔部を貫通して前記化粧板における雌ネジと螺合する雄ネジ部を有し、前記化粧板を当該化粧板の裏面側から前記支持枠に固定する第１のネジと、前記支持枠における前記化粧板とは逆側に配置された底板と、前記底板の表面から当該底板を貫通することにより、前記底板を前記支持枠に固定する第２のネジと、を備えたことを特徴とする。
【発明の効果】
【００１２】
請求項１に記載の発明によれば、その裏面側に雌ネジ部を構成する穴が形成された化粧板を、支持枠に形成された孔部を貫通して化粧板における雌ネジと螺合する雄ネジ部を有する第１のネジを利用して、化粧板の裏面側から支持枠に固定する構成であることから、その製造コストを低減しながら、化粧板の表面を完全に平滑化することが可能となる。
【図面の簡単な説明】
【００１３】
【図１】この発明に係る天板１を使用した作業台としての実験台の斜視図である。
【図２】天板１をその裏面側から見た斜視図である。
【図３】図２の一部を破断した拡大図である。
【図４】天板１の部分断面図である。
【発明を実施するための形態】
【００１４】
以下、この発明の実施の形態を図面に基づいて説明する。まず、この発明に係る天板を使用した作業台の構成について説明する。図１は、この発明に係る天板１を使用した作業台としての実験台の斜視図である。
【００１５】
この実験台は、多数の脚部材２１と、側板２２と、仕切板２３とから成るフレーム２を備える。そして、このフレーム２の上部には、４枚の天板が列設されている。これらの天板１とフレーム２とは、図示を省略したネジ等により固定される。
【００１６】
次に、この発明に係る天板１の構成について説明する。図２は、天板１をその裏面側から見た斜視図であり、図３はその一部を破断した拡大図である。なお、図２においては、底板１２の一部を切り欠いて図示している。また、図３においては、底板１２を省略している。さらに、図４は、天板１の部分断面図である。
【００１７】
この天板１は、長辺側の２本の枠部材１３ａと短辺側の２本の枠部材１３ｂとから構成される支持枠１３を備える。各枠部材１３ａ、１３ｂは、例えば、その断面が略コの字状の金属から構成される。長辺側の２本の枠部材１３ａと短辺側の２本の枠部材１３ｂとは、ネジ３４により互いに連結され、平面視において矩形状の支持枠１３が構成される。なお、長辺側の枠部材１３ａには、後述する第１のネジ３１が貫通するための孔部が形成されている。
【００１８】
この矩形状の支持枠１３の上面となる位置には、化粧板１１が配設される。この化粧板１１は、例えば、メラミン樹脂等の合成樹脂から構成され、平面視において矩形状を成す支持枠１３の外形と対応する形状を有する。この化粧板１１には、その裏面側から雌ネジ部を構成する穴が形成されている。即ち、この化粧板１１の裏面側には、その厚みの半分程度の深さを有する穴が形成された後、この穴に対してタップを利用して雌ねじ部が形成される。なお、この穴の位置は、上述した枠部材１３ａに形成された孔部と対応する位置となっている。
【００１９】
また、矩形状の支持枠１３の下面となる位置には、底板１２が配設される。この底板１２は、例えば、金属板やベニヤ板から構成され、化粧板１１と同様、平面視において矩形状を成す支持枠１９の外形と対応する形状を有する。
【００２０】
また、矩形状の支持枠１３における一方の枠部材１３ａおよび１３ｂの側面には、縁部材１４が付設される。この縁部材１４は、図１に示すように、４枚の天板１を列設したときにその外側部分に配置される枠部材１３ａおよび１３ｂの側方にのみ配設される。この縁部材１４は、例えば比較的軟質の樹脂等から構成される。この縁部材には凹部が形成されており、この凹部には蓋部材１５が着脱可能となっている。
【００２１】
このような構成を有する天板１を作成するときには、最初に、長辺側の２本の枠部材１３ａと短辺側の２本の枠部材１３ｂとを、ネジ３４により互いに連結して、支持枠１３を作成する。そして、この支持枠１３に対して、第１のネジ３１により化粧板１１を固定する。このときには、第１のネジ３１における雄ネジ部は、化粧板１１の裏面側から支持枠１３における枠部材１３ａに形成された孔部を貫通して、化粧板１１に形成された雌ネジ部に螺合する。そして、第１のネジ３１の先端は、化粧板１１の厚み方向の中央部に配置される。
【００２２】
次に、支持枠１３における化粧板１１とは逆側の面に底板１２を固定する。この底板１２の固定は、底板１２の表面側から、第２のネジ３２の先端を底板１２を貫通させて支持枠１３に到達させることにより行われる。なお、この場合には、底板１２の表面に第２のネジ３２の端部が配置されることになるが、底板１２は実験台の内側に配置されることから問題はない。
【００２３】
さらに、４枚の天板１を列設したときにその外側部分に配置される枠部材１３ａおよび１３ｂの側方に縁部材１４を固定する。この縁部材１４は、その凹部内においてネジ３３により枠部材１３ａまたは枠部材１３ｂに固定される。そして、この縁部材１４の凹部には、蓋部材１５が装着される。このため、ネジ３３が外部に露出することはない。
【００２４】
以上のような構成を有する天板においては、その裏面側に雌ネジ部を構成する穴が形成された化粧板１１を、支持枠１３に形成された孔部を貫通して化粧板１１における雌ネジと螺合する雄ネジ部を有する第１のネジ３１を利用して、化粧板１１の裏面側から支持枠１３に固定する構成であることから、従来のような受容孔とスライド溝とから構成される係合孔を加工する必要が無く、その製造コストを低減することが可能となる。このとき、化粧板１１の表面には、ネジ等が存在しないことから、化粧板１１の表面を完全に平滑化することが可能となる。
【００２５】
また、化粧板１１と、底板１２と、支持枠１３と、縁部材１４を、ネジのみを使用して連結させることができることから、接着剤を使用する場合のように、化粧板１１や底板１２等に接着剤が付着することがなく、化粧板１１や底板１２等を容易にリサイクル利用することが可能となる。
【符号の説明】
【００２６】
１        天板
２        フレーム
１１      化粧板
１２      底板
１３      支持枠
１３ａ    枠部材
１３ｂ    枠部材
１４      縁部材
１５      蓋部材
２１      脚部材
２２      側板
２３      仕切板
３１      第１のネジ
３２      第２のネジ
３３      ネジ
３４      ネジ
【図１】
2012020234.tif 000003
【図２】
2012020234.tif 000004
【図３】
2012020234.tif 000005
【図４】
2012020234.tif 000006